【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
二輪車に取付けられるカゴに設けられ、カゴに収納する荷物を保護する二輪車用カゴカバーにおいて、
長方形で扁平状の生地から成り、その長辺の片側の端部に設けられた第１の紐通し部を有し、カゴの側面に対して内面から装着されるカゴ側面保護カバーと、
カゴ側面保護カバーの中央位置においてその一部がカゴ側面保護カバーに取付けられ、その縁部に設けられた第２の紐通し部を有する雨よけカバーと、
カゴ側面保護カバーに雨よけカバーが取り付いた下方に設けられ、雨よけカバー全体を収納する雨よけカバー収納ポケットと、を備え、
カゴ側面保護カバーの第１の紐通し部に紐を通しギャザーを寄せて絞ることで、カゴ側面保護カバーをカゴの形状に合わせて装着し、雨よけカバーの第２の紐通し部に紐を通しギャザーを寄せて絞ることで、雨よけカバーをカゴに収納する荷物の形状に合わせて覆わせることを特徴とする二輪車用カゴカバー。
【請求項２】
請求項１に記載の二輪車用カゴカバーであって、カゴ側面保護カバーは、その長辺の一部が折り返されてカゴに装着され、紐はカゴの外部から絞られることを特徴とする二輪車用カゴカバー。
【請求項３】
請求項１又は２に記載の二輪車用カゴカバーであって、カゴカバーは、カゴカバー側面保護カバーと、雨よけカバーと、雨よけカバー収納ポケットとが一体となり、常時、二輪車のカゴに取付けられることを特徴とする二輪車用カゴカバー。
【手続補正２】
【補正対象書類名】明細書
【補正対象項目名】全文
【補正方法】変更
【補正の内容】
【発明の詳細な説明】
【発明の名称】二輪車用カゴカバー
【技術分野】
【０００１】  この発明は、二輪車用カゴカバーに関し、二輪車に取り付けられるカゴに設けられ、カゴに収納する荷物を保護する二輪車用カゴカバーに関するものである。
【背景技術】
【０００２】  従来、二輪車カゴの、雨よけカバーとその収納ポケット、カゴのカバーがばらばらで、またそれら全てを、常時かごに取り付けておけるものがなかった。【０００３】  雨よけカバーの場合、現在いろいろとあるが、例えばカゴ後方（ハンドル側）に取り付けて、前に向かってかけるもの、ゴムで生地の端にギャザーを寄せた袋状のカバー、カゴの形に沿った形状で上部をきっちりチャックで閉めるもの、巾着タイプのもの、等がある。【０００４】  カゴカバーについては、フリーサイズのものがなく、カゴの外側を覆うような形状のものがある。
【発明の開示】
【発明が解決しようとする課題】
【０００５】  カゴカバーについては、従来のものはカゴの外側を覆う形状のため、荷物を埃や雨からカバーできるが、大切なかばんはカゴに直接接触するため、出し入れの際、気を付けないとかばんの表面に傷をつけてしまうことがあった。また、底面があるため、底に埃、ゴミ、雨がたまり汚らしくなりがちだった。フリーサイズではないため、カゴに合うサイズのカバーを探さなくてはならなかった。【０００６】  雨よけカバーについては、雨が降ったとき、カゴの高さよりはみ出る大きい荷物を覆うことができなかった。例えば通勤や通学のかばんなどはほとんどカゴよりサイズが大きく高さが飛び出るため雨よけカバーは使えずに意味をなさなかった。また、ハンドルに取り付けてカゴ前方に向ってかけるタイプの雨よけカバーは走行中の前風からの影響をさけるため、重い生地を使用していて携帯的な実用性がなかった。また、ゴムで生地の端にギャザーを寄せた袋状のカバーについては、未使用時かさばるため、邪魔になり保管が面倒だった。【０００７】  雨よけカバーの収納ポケットについては、あってもしまうのが面倒なため使用しなくなってしまいがちだった。【０００８】本願の目的は、かかる課題を解決し、カゴカバーおよび雨よけカバーを共にフリーサイズとし、さらに雨よけカバーの収納ポケットも含めて一体化することにより、高性能で収納性がよく利便性の高い二輪車用カゴカバーを提供することである。
【課題を解決するための手段】
【０００９】上記目的を達成するため、本発明に係る二輪車用カゴカバーは、二輪車のハンドルに取付けられるカゴに設けられ、カゴに収納する荷物を保護する二輪車用カゴカバーにおいて、長方形で扁平状の生地から成り、その長辺の片側の端部に設けられた第１の紐通し部を有し、カゴの側面に対して内面から装着されるカゴ側面保護カバーと、カゴ側面保護カバーの中央位置においてその一部がカゴ側面保護カバーに取付けられ、その縁部に設けられた第２の紐通し部を有する雨よけカバーと、カゴ側面保護カバーに雨よけカバーが取り付いた下方に設けられ、雨よけカバー全体を収納する雨よけカバー収納ポケットと、を備え、カゴ側面保護カバーの第１の紐通し部に紐を通しギャザーを寄せて絞ることで、カゴ側面保護カバーをカゴの形状に合わせて装着し、雨よけカバーの第２の紐通し部に紐を通しギャザーを寄せて絞ることで、雨よけカバーをカゴに収納する荷物の形状に合わせて覆わせることを特徴とする。【００１０】また、二輪車用カゴカバーは、カゴ側面保護カバーが、その長辺の一部が折り返されてカゴに装着され、紐はカゴの外部から絞られることが好ましい。【００１１】また、二輪車用カゴカバーは、カゴカバーが、カゴカバー側面保護カバーと、雨よけカバーと、雨よけカバー収納ポケットとが一体となり、常時、二輪車のカゴに取付けられることが好ましい。
【発明の効果】
【００１２】  カゴカバー１つを取り付ければ、それに、雨よけカバーとその収納ポケットがついている。雨よけカバーの一辺が、カゴカバーのカゴ前面の上部に常時取り付けてあり、しっかり安定した位置で固定してあるため、雨よけカバー使用時、走行中の前からの風の影響が少なくなるたり、雨よけカバーはサイズ調節できて荷物に沿うため軽くて大きい生地を利用でき、カゴからはみでる大きいかばんでも安定して全面覆え、雨、盗難からカバーできる。カゴに常時取り付けてあり収納ポケットに入っているため、急な雨のときでもいつでも使え安心である。また雨よけカバーの一辺がカゴカバーにしっかり接着か縫うなどして接続してあることにより、利用時、荷物を覆うのが楽である。【００１３】  カゴカバーの雨よけカバーが取り付けてある位置の真下に収納ポケットがついているため雨よけカバー未使用時、簡単に収納できる。収納後、邪魔にならず見た目もきれいである。また、カゴの内側を覆ってあるカゴカバーにより大切なかばんを出し入れ時等の擦り傷から保護する。底面には生地がなく、雨よけカバーも簡単にポケットに収納できるようになっているためカゴの底に保管ということが起こらないため、雨などの水やほこりが底にたまらない。【００１４】以上のように、本発明による二輪車用カゴカバーによれば、カゴカバーおよび雨よけカバーを共にフリーサイズとし、さらに雨よけカバーの収納ポケットも含めて一体化することにより、高性能で収納性がよく利便性の高い二輪車用カゴカバーを提供することが可能となる。
【発明の実施をするための最良の形態】
【００１５】以下に、図面を用いて本発明に係る実施の形態について説明する。図１に、本発明の二輪車用カゴカバーの自転車に取り付ける前の状態を分解図で示す。図２に、本発明の二輪車用カゴカバーをカゴに装着し、雨よけカバーを開いた状態を後面図で示す。図３に、本発明の二輪車用カゴカバーの雨よけカバーをポケットに収納した状態を後面図で示す。図４に、本発明の二輪車用カゴカバーの装着後の状態を斜視図で示す。図５に、本発明の二輪車用カゴカバーの装着後の雨よけカバーを開いた状態を側面図で示す。
【００１６】本発明は、二輪車のカゴのカバーと、雨よけカバーと、雨よけカバーの収納ポケットを一体化することにより、雨よけカバーの性能、収納、利便性、を更に高め、カゴカバー、雨よけカバー共に、フリーサイズとし、またカゴカバーによりカゴに入れるかばんの傷防止、盗難防止もかね、常時取り付けておけるようにした。
【００１７】  （イ）カゴカバー（１）は、扁平状の長方形の生地でできている。
（ロ）カゴカバー（１）の長辺の片側の紐通し部（１０）に紐（４）を通して絞ることによりギャザーを寄せてサイズ調整できるようにする。
（ハ）カゴカバー（１）の中心よりに、ポケット（２）、その真上にポケットの蓋（８）を設け、その蓋（８）の横左右に、折り返しライン（Ａ）を挟んで小さい２ついの穴（７）を設ける。
【００１８】  （ニ）雨よけカバー（３）は大きい荷物もカバーできるように大きめの大きさとし、両端サイドの紐通し部（１１）に紐（９）を通して、ギャザーを寄せるようにすることでサイズ調整ができ、立体形状になるためどんなサイズの荷物にも沿い、走行風の影響を受けにくく安定して覆うことができる。
【００１９】  （ホ）雨よけカバー（３）に通した紐（９）のカゴカバー（１）側は、留具（６）を設け、使用時カゴに留められるようにし、上部は紐留（５）でサイズ調節できるようにする。
【００２０】  （ヘ）カゴカバー（１）のポケット（２）とポケットの蓋（８）の間の、折り返しライン（Ａ）の中心に雨よけカバー（３）の縫い合わせライン（Ｂ）を合わせ、縫うなり、接着なりで接続する。
【００２１】  本発明は以上の構成よりなる。
【００２２】  これを使用するときは、まずカゴカバー（１）をカゴ（Ｃ）に装着する。方法は、カゴカバー（１）をポケット（２）の口が上にくるように、ポケット（２）をカゴ（Ｃ）の前面の内側に合わせて配置して、折り返しライン（Ａ）をカゴ（Ｃ）の外側に山折にする。紐（４）をカゴ（Ｃ）の外側で絞り、カゴ（Ｃ）を自転車に取り付ける金具（Ｄ）の下できつく縛る。更に、ずれないようにカゴカバー（１）の穴（７）に、リング（１４）などで、カゴ（Ｃ）の淵にしっかり固定する。
【００２３】  雨よけカバー（３）使用時はポケット（２）からだして後方に向って広げて荷物を覆い、紐（９）を紐留（５）で絞って荷物に合わせてサイズ調整する。風や雨が強くてしっかり覆いたい場合は、紐（９）を自転車のハンドルに上からくぐらせて紐留（５）を絞る。必要な場合は留具（６）をカゴ（Ｃ）に留める。未使用時は収納ポケット（２）に入れる。
【図面の簡単な説明】
【００２４】
【図１】本発明の取り付け前の分解図
【図２】本発明のカゴに装着し、雨よけカバーを開いた後面図。
【図３】本発明の雨よけカバーをポケットに収納した後面図。
【図４】本発明の装着後の斜視図
【図５】本発明の装着後の雨よけカバーを開いた側面図
【符号の説明】
【００２５】１    カゴカバー
２    ポケット
３    雨よけカバー
４    紐
５    紐留
６    留具
７    穴
８    蓋
９    紐
１０  紐とおし部
１１  紐とおし部
１２  折り返し部
１３  ハンドル
１４  リング
Ａ    折り返しライン
Ｂ    縫い合わせライン
Ｃ    カゴ
Ｄ    金具